(57)【要約】【課題】  表示装置において、部材コスト及び作製工程を増大させることなく、高精度にかつ破損を防いでパネルを位置決め支持すること。【解決手段】  表示パネル１１と、表示パネル１１を支持するフレーム１２と、を備え、該フレーム１２が、支持する表示パネル１１の外周面に当接すると共に内側下端が表示パネル１１の下面よりも下方に配された外周壁部１２ａと、支持する表示パネル１１の下面側に形成され該下面に当接する下面支持部１２ｂと、該下面支持部１２ｂと外周壁部１２ａの内側下端との間に形成され下面支持部１２ｂよりも下方に凹んだ段差部１２ｃと、を有している。【選択図】  図１
2010145865.tif 000002
【特許請求の範囲】
【請求項１】
表示パネルと、
前記表示パネル又は該表示パネルの上方に設置されるタッチパネルを支持するフレームと、を備え、
該フレームが、支持する前記表示パネル又は前記タッチパネルの外周面に当接すると共に内側下端が前記表示パネル又は前記タッチパネルの下面よりも下方に配された外周壁部と、
支持する前記表示パネル又は前記タッチパネルの下面側に形成され該下面に当接する下面支持部と、
該下面支持部と前記外周壁部の内側下端との間に形成され前記下面支持部よりも下方に凹んだ段差部と、を有していることを特徴とする表示装置。
【請求項２】
請求項１に記載の表示装置において、
前記段差部が、支持する前記表示パネル又は前記タッチパネルの外周に沿って延在されていることを特徴とする表示装置。
【請求項３】
請求項１又は２に記載の表示装置において、
前記段差部の内側に、光学板又は光学シートが設置されていることを特徴とする表示装置。
【請求項４】
請求項３に記載の表示装置において、
前記表示パネルが、液晶表示パネルであり、
前記光学板が、偏光板であることを特徴とする表示装置。
【発明の詳細な説明】
【技術分野】
【０００１】
本発明は、液晶表示パネルなどを有する表示装置に関する。
【背景技術】
【０００２】
携帯電話機、ＰＤＡ、モバイルタイプＰＣ（パーソナルコンピュータ）、ＡＴＭ（現金自動預け払い機）、携帯ミュージックプレーヤー、カーナビゲーション装置等のディスプレイには、画像表示のための液晶表示装置が広く採用されている。また、この液晶表示装置には、タッチパネルを搭載したものも採用されている。これらの液晶表示装置は、通常、液晶表示パネルやタッチパネルをケースとして機能するフレーム内に設置して位置決めすると共に支持している。このフレームには、液晶表示パネルやタッチパネルのパネルの外周面に当接させてパネルを位置決めするために外周壁部が形成されている。
【０００３】
しかしながら、図５に示すように、この外周壁部２ａを形成する際に、外周壁部２ａの根本部分（内側下端）に曲げＲが付いてしまうため、パネル１をフレーム２内に組み込んで外周面を外周壁部２ａ内面に当接させて位置決めを行う際に、曲げＲ部分にパネル１の外周面下端のエッジ部１ａが干渉してしまい、組み込んだ状態では、パネル１の位置がずれてしまう不都合があった。また、パネル１のエッジ部１ａを無理に曲げＲ部分に押しつけて位置決めしようとすると、パネル１のエッジ部１ａが破損するおそれもあった。
【０００４】
この対策として、従来、例えば特許文献１には、表示ユニットを緩衝材を介してユニット取り付け部材に取り付け固定する表示ユニット固定構造が提案されている。この構造では、ゴムやエラストマー等の弾力性のある材料で曲面凹形状を有する緩衝材を形成し、これをユニット取り付け部材の四隅の角部に設置することで、表示ユニットの角部が緩衝材を押圧して収縮させた状態で表示ユニットを支えている。
【０００５】
【特許文献１】特開２００４−２５８４６１号公報（特許請求の範囲、図１）
【発明の開示】
【発明が解決しようとする課題】
【０００６】
しかしながら、上記従来の技術には、以下の課題が残されている。
すなわち、特許文献１に記載の技術では、曲面凹形状の緩衝材を介して表示ユニット等のパネルを支持しているため、緩衝材の収縮により高精度に位置決めすることが困難となる不都合があった。また、表示ユニット等のパネルのエッジ部を直接緩衝材に当接させて位置決めするため、やはりエッジ部が破損するおそれもあった。さらに、緩衝材を別途作製して設置する必要があり、部材コスト及び作製工程の増大を招いてしまう。
【０００７】
本発明は、前述の課題に鑑みてなされたもので、部材コスト及び作製工程を増大させることなく、高精度にかつ破損を防いでパネルを位置決め支持することができる表示装置を提供することを目的とする。
【課題を解決するための手段】
【０００８】
本発明は、前記課題を解決するために以下の構成を採用した。すなわち、本発明の表示装置は、表示パネルと、前記表示パネル又は該表示パネルの上方に設置されるタッチパネルを支持するフレームと、を備え、該フレームが、支持する前記表示パネル又は前記タッチパネルの外周面に当接すると共に内側下端が前記表示パネル又は前記タッチパネルの下面よりも下方に配された外周壁部と、支持する前記表示パネル又は前記タッチパネルの下面側に形成され該下面に当接する下面支持部と、該下面支持部と前記外周壁部の内側下端との間に形成され前記下面支持部よりも下方に凹んだ段差部と、を有していることを特徴とする。
【０００９】
この表示装置では、フレームが、下面支持部と外周壁部の内側下端との間に形成され下面支持部よりも下方に凹んだ段差部を有しているので、下面支持部よりも一段下がった段差部上の隙間部分にパネルのエッジ部が配されてエッジ部が外周壁部の内側下端にある曲げＲ部分に接触しない。したがって、段差部を設けることでパネルのエッジ部と外周壁部の曲げＲ部分との干渉を防止でき、パネルを高精度に位置決め可能であると共にエッジ部等の損傷を防ぐことができる。また、別途部材を作製してフレーム等に設置する必要が無く、部材コスト及び作製工程を増大させることもない。
【００１０】
また、本発明の表示装置は、前記段差部が、支持する前記表示パネル又は前記タッチパネルの外周に沿って延在されていることを特徴とする。すなわち、この表示装置では、段差部が、外周壁部の部分だけでなく支持する表示パネル又はタッチパネルの外周に沿って延在されているので、外周側の隙間を段差部が塞ぐことで、組み込まれた状態での内部へのゴミの侵入を防ぐことができる。
【００１１】
また、本発明の表示装置は、前記段差部の内側に、光学板又は光学シートが設置されていることを特徴とする。すなわち、この表示装置では、段差部の内側に光学板又は光学シートが設置されているので、段差部の内側に形成されたスペースを光学板又は光学シート用に有効利用することで、全体が厚くなることを抑制可能である。
【００１２】
さらに、本発明の表示装置は、前記表示パネルが、液晶表示パネルであり、前記光学板が、偏光板であることを特徴とする。すなわち、この表示装置では、液晶表示パネルに使用する偏光板を段差部の内側に配するので、薄型の液晶表示装置を得ることができる。
【発明の効果】
【００１３】
本発明によれば、以下の効果を奏する。
すなわち、本発明に係る表示装置によれば、フレームが、下面支持部と外周壁部の内側下端との間に形成され下面支持部よりも下方に凹んだ段差部を有しているので、部材コスト及び作製工程を増大させることなく、パネルを高精度に位置決め可能であると共にエッジ部等の損傷を防ぐことができる。
【発明を実施するための最良の形態】
【００１４】
以下、本発明に係る表示装置の第１実施形態を、図１から図３に基づいて説明する。なお、以下の説明に用いる各図面では、各部材を認識可能な大きさとするために縮尺を適宜変更している。
【００１５】
本実施形態における表示装置１０は、例えばカーナビゲーション装置に搭載される液晶表示パネルである表示パネル１１と、表示パネル１１を支持するフレーム１２と、表示パネル１１の下方に設置され表示パネル１１を下方から照明するバックライトユニット１３と、を備えている。
なお、本実施形態では、表示パネル１１の画面側を上面側とすると共にバックライトユニット１３の光出射方向を上方向として記載している。
【００１６】
上記表示パネル１１は、透過型又は半透過型の液晶表示パネルが採用される。例えば、透過型の液晶表示パネル１１の場合、透明電極及び配向膜をそれぞれ有する上基板と下基板との間隙に液晶材料をシール材で封止したＴＦＴ液晶方式、ＳＴＮ液晶方式やＴＮ液晶方式等のパネル本体１４と、該パネル本体１４の上下面に設置された一対の偏光板（光学板又は光学シート）１５と、を備えたものである。
【００１７】
上記フレーム１２は、全体が表示パネル１１及びバックライトユニット１３の外形に沿った四角枠状であり、金属板を曲げ加工等により加工して作製されたもの若しくは合成樹脂の一体成型により作製されたものなどが採用される。
このフレーム１２は、支持する表示パネル１１の外周面に当接すると共に内側下端が表示パネル１１の下面よりも下方に配された外周壁部１２ａと、支持する表示パネル１１の下面側に形成され該下面に当接する下面支持部１２ｂと、該下面支持部１２ｂと外周壁部１２ａの内側下端との間に形成され下面支持部１２ｂよりも下方に凹んだ段差部１２ｃと、バックライトユニット１３の外周面に沿って形成され該バックライトユニット１３を支持する下部支持部１２ｄと、を有している。
【００１８】
上記外周壁部１２ａは、フレーム１２の四隅近傍にそれぞれ１対ずつ配されて全体で８つ設けられている。すなわち、フレーム１２の角部において、該角部を構成する２辺に対となる外周壁部１２ａが表示パネル１１の外周面に対向するように立設されている。
上記段差部１２ｃは、外周壁部１２ａの部分だけでなく、支持する表示パネル１１の外周に沿って延在されている。本実施形態では、フレーム１２の長辺の１つ及び短辺の１つの２辺に段差部１２ｃが延在するように形成されている。なお、フレーム１２の全周にわたって表示パネル１１を囲むように段差部１２ｃを形成しても構わない。
【００１９】
また、段差部１２ｃの内側には、上記パネル本体１４の下面に配された偏光板１５が設置されている。
なお、この段差部１２ｃは、フレーム１２の材厚に対して約４倍程度の幅に設定されている。
【００２０】
上記バックライトユニット１３は、ＬＥＤ光源や蛍光管等の光源と、該光源から入射された光を導光すると共に光路変換して上面から表示パネル１１に対して面状の照明光を出射する導光板（図示略）と、該導光板下に設置された反射シートや導光板上に設置された拡散板及びプリズムシート等の光学板又は光学シート（図示略）と、で構成されている。
【００２１】
このように本実施形態の表示装置１０では、フレーム１２が、下面支持部１２ｂと外周壁部１２ａの内側下端との間に形成され下面支持部１２ｂよりも下方に凹んだ段差部１２ｃを有しているので、下面支持部１２ｂよりも一段下がった段差部１２ｃ上の隙間部分に表示パネル１１のエッジ部１１ａが配されて該エッジ部１１ａが外周壁部１２ａの内側下端にある曲げＲ部分に接触しない。したがって、段差部１２ｃを設けることで表示パネル１１のエッジ部１１ａと外周壁部１２ａの曲げＲ部分との干渉を防止でき、表示パネル１１を高精度に位置決め可能であると共にエッジ部１１ａ等の損傷を防ぐことができる。また、別途部材を作製してフレーム１２等に設置する必要が無く、部材コスト及び作製工程を増大させることもない。
【００２２】
また、段差部１２ｃが、外周壁部１２ａの部分だけでなく支持する表示パネル１１の外周に沿って延在されているので、外周側の隙間を段差部１２ｃが塞ぐことで、組み込まれた状態での内部へのゴミの侵入を防ぐことができる。
さらに、段差部１２ｃの内側に偏光板１５が設置されているので、段差部１２ｃの内側に形成されたスペースを偏光板１５用に有効利用することで、全体が厚くなることを抑制可能である。
【００２３】
次に、本発明に係る表示装置の第２実施形態について、図４を参照して以下に説明する。なお、以下の実施形態の説明において、上記実施形態において説明した同一の構成要素には同一の符号を付し、その説明は省略する。
【００２４】
第２実施形態と第１実施形態との異なる点は、第１実施形態では、表示パネル１１の外周面をフレーム１２の外周壁部１２ａで支持しているのに対し、第２実施形態の表示装置２０では、図４に示すように、表示パネル１１の上方に設置されたタッチパネル２１を備え、フレーム１２がタッチパネル２１を支持している点である。
【００２５】
すなわち、第２実施形態では、フレーム１２の下部支持部１２ｄの内側に表示パネル１１及びバックライトユニット１３が設置されていると共に、フレーム１２の上部の外周壁部１２ａにタッチパネル２１の外周面が当接し、下面支持部１２ｂのタッチパネル２１の下面が当接してタッチパネル２１が支持されている。
【００２６】
上記タッチパネル２１は、抵抗膜方式などの既知の方式が採用可能であり、例えば抵抗膜方式の場合、ＩＴＯ等の透明電極（図示略）が形成されたベースとなるガラス板２１ａと、該ガラス板２１ａ上に設置されたフィルム２１ｂと、を備えている。
【００２７】
このように第２実施形態の表示装置２０では、下面支持部１２ｂよりも一段下がった段差部１２ｃ上の隙間部分にタッチパネル２１のエッジ部２１ａが配されてエッジ部２１ａが外周壁部１２ａの内側下端にある曲げＲ部分に接触しないので、タッチパネル２１を高精度に位置決め可能であると共にエッジ部２１ａ等の損傷を防ぐことができる。
【００２８】
なお、本発明は上記各実施形態に限定されるものではなく、本発明の趣旨を逸脱しない範囲において種々の変更を加えることができる。
【００２９】
例えば、上記各実施形態では、カーナビゲーション装置用の液晶表示装置に適用しているが、携帯電話機、ＰＤＡ、モバイルタイプＰＣ（パーソナルコンピュータ）、ＡＴＭ（現金自動預け払い機）、携帯ミュージックプレーヤー等の他の電子機器に搭載される表示装置に適用しても構わない。
また、表示パネルとして液晶表示パネルを採用しているが、有機ＥＬパネル等の他の表示パネルを採用しても構わない。
【図面の簡単な説明】
【００３０】
【図１】本発明に係る表示装置の第１実施形態において、表示装置の要部を示す拡大縦断面図である。
【図２】第１実施形態において、表示装置を示す分解斜視図である。
【図３】第１実施形態において、表示装置を示す平面図、側面図及び正面図である。
【図４】本発明に係る表示装置の第２実施形態において、表示装置の要部を示す拡大縦断面図である。
【図５】本発明に係る表示装置の従来例において、表示装置の要部を示す拡大縦断面図である。
【符号の説明】
【００３１】
１０，２０…表示装置、１１…表示パネル、１２…フレーム、１２ａ…外周壁部、１２ｂ…下面支持部、１２ｃ…段差部、１５…偏光板、２１…タッチパネル
【図１】
2010145865.tif 000003
【図２】
2010145865.tif 000004
【図３】
2010145865.tif 000005
【図４】
2010145865.tif 000006
【図５】
2010145865.tif 000007